(57)【特許請求の範囲】
【請求項１】
書物を収納する書物収納部を有し、この書物収納部の内壁を反射面に仕上げてなるケースと、
前記書物収納部内に設置され、書物をその開く側を下向きにして保持する書物保持具と、
前記書物収納部の内壁の内の、前記書物保持具に保持した書物の天または地に対向する内壁に空気吹き出し口を設け、
前記書物収納部の内壁の内の底面に、排気及び排塵用開口を設け、
さらに、前記書物収納部の内壁の所定の位置に、前記書物保持具に保持した書物に紫外線を直接又は前記反射面による反射により照射する殺菌灯を設置し、
一方、前記空気吹き出し口は、横長形状であり、且つこの空気吹き出し口全体から平行で均一な空気を吹き出す形状に形成されており、
前記空気吹き出し口から前記書物収納部内に吹き出した空気を前記書物の天または地に吹き付けて書物の各ページを開かせることで、各ページに紫外線を照射して殺菌すると同時に、開いた各ページ間の塵芥を落下させて空気の気流に乗せて前記排気及び排塵用開口から外部に排出させることを特徴とする書物殺菌装置。
【請求項２】
請求項１に記載の書物殺菌装置であって、
前記空気吹き出し口の横長方向の寸法は、前記書物を前記空気によって開かせる寸法に合わせた長さとされていることを特徴とする書物殺菌装置。
【請求項３】
請求項１に記載の書物殺菌装置であって、
前記排気及び排塵用開口の下方に空気中から塵芥を捕捉するフィルタを設置し、このフィルタと前記排気及び排塵用開口の間に、前記フィルタへの紫外線の直接照射を防止すると同時に、開口内に侵入する紫外線を反射し書物収納部内に戻して前記書物に向かわせる反射兼保護板を設置したことを特徴とする書物殺菌装置。
【請求項４】
請求項３に記載の書物殺菌装置であって、
前記反射兼保護板は、前記排気及び排塵用開口を略塞ぐ寸法形状を有すると共に、中央に対してその左右両辺が下降する形状に形成され、これによって排気及び排塵用開口内に侵入する塵芥を前記反射兼保護板の左右両辺を越えて前記フィルタに導き、且つ前記紫外線の前記フィルタへの直接照射を防止することを特徴とする書物殺菌装置。
【発明の詳細な説明】
【技術分野】
【０００１】
本発明は、書物を紫外線によって殺菌するのに用いて好適な書物殺菌装置に関するものである。
【背景技術】
【０００２】
従来、図書館等で閲覧や貸し出しされる書物（書籍、雑誌等）や、古書店等で販売される書物には、過去の利用者による塵芥（汚れ）や、虫、ウイルス、細菌、かび等が付着しており、前記汚れを取り除いたり、これを殺菌したりすることが求められていた。
【０００３】
この種の書物殺菌装置として、特許文献１には、書物（６）を収容する殺菌容器（３）と、殺菌ガスを殺菌容器（３）内へ充填する殺菌ガス発生手段（４）と、殺菌容器（３）内で上記書物（６）を保持する書籍保持棚（７）と、殺菌容器（３）内に充填された殺菌ガスを循環させながら書物（６）の天又は地に向けて吹き付ける殺菌ガス流動装置（９）と、書物（６）に紫外線を照射する紫外線ランプ（８）とを備える殺菌装置（１）が開示されている。
【０００４】
また特許文献２には、乾燥ボックス（１０）内において書物（Ｂ）を背表紙の部位を下にして立て掛け保持すると共に、ファン（１８）によって吸入開口（１４）から乾燥ボックス（１０）内に導入した空気をヒータ（２２）によって乾燥用の温風とした後に、この温風を書物（Ｂ）の各ページ間に通過させ、通過した温風をフィルタ（２８）を介して排出開口（１６）より排出させると共に、乾燥ボックス（１０）内に設置した殺菌灯（３０）によって書物（Ｂ）を殺菌する書物の乾燥装置が開示されている。
【先行技術文献】
【特許文献】
【０００５】
【特許文献１】特開２００１−１８７１２１号公報
【特許文献２】特開２００１−３３６８７７号公報
【発明の概要】
【発明が解決しようとする課題】
【０００６】
しかしながら、上記従来の書物殺菌装置には、以下のような問題があった。
（１）上記特許文献１，２における書物の保持には、書物をその背表紙を下にして小口（書物が開く側）を上に向けてＶ字状に開く設置方法と、特許文献１の図１０に示すように、背表紙を上にして小口を下に向けてＶ字状に開く設置方法とがあるが、何れの方法の場合も、書物の天または地側から空気を吹き付ける際に、必ずしも書物の各ページが均一に開かず、これによって紫外線による殺菌を十分に行うことができないという問題があった。
【０００７】
（２）上記特許文献１，２の装置においては、書物の各ページの間に挟まっている塵芥等をスムーズに外部に取り除くことができないという問題があった。即ち、特許文献１においては、各書物（６）が書籍保持棚（７）の各側壁部（１３）によって仕切られた空間内に設置されているため、書物（６）から排出された塵芥等が各側壁部（１３）の間の空間内に滞留し、これをスムーズに外部に排出することができないばかりか、滞留した塵芥等が気流に乗って再び書物のページ間に入り込む恐れがある。また特許文献１の図２や、特許文献２の図１に示すように、書物をその背表紙を下にして小口を上に向けてＶ字状に開くように設置すると、各ページの間に挟まっている塵芥等が各ページの奥の方に移動し、これを取り除くことがむしろ困難になってしまう。
【０００８】
本発明は上述の点に鑑みてなされたものでありその目的は、書物の各ページをスムーズに開いて効果的に紫外線を照射して殺菌することができると同時に、書物の各ページ間に挟まっている塵芥等をスムーズに外部に排出することができる書物殺菌装置を提供することにある。
【課題を解決するための手段】
【０００９】
本発明にかかる書物殺菌装置は、書物を収納する書物収納部を有し、この書物収納部の内壁を反射面に仕上げてなるケースと、前記書物収納部内に設置され、書物をその開く側を下向きにして保持する書物保持具と、前記書物収納部の内壁の内の、前記書物保持具に保持した書物の天または地に対向する内壁に空気吹き出し口を設け、前記書物収納部の内壁の内の底面に、排気及び排塵用開口を設け、さらに、前記書物収納部の内壁の所定の位置に、前記書物保持具に保持した書物に紫外線を直接又は前記反射面による反射により照射する殺菌灯を設置し、一方、前記空気吹き出し口は、横長形状であり、且つこの空気吹き出し口全体から平行で均一な空気を吹き出す形状に形成されており、前記空気吹き出し口から前記書物収納部内に吹き出した空気を前記書物の天または地に吹き付けて書物の各ページを開かせることで、各ページに紫外線を照射して殺菌すると同時に、開いた各ページ間の塵芥を落下させて空気の気流に乗せて前記排気及び排塵用開口から外部に排出させることを特徴としている。
書物をその開く側を下向きにして保持した状態で、書物の天または地に向かって空気を吹き付けるので、書物の開く側を下向きに開くことができ、各ページ間の塵芥等を気流に乗せて下方に効率的に落下させることができる。同時に、開いた各ページ間に紫外線を効果的に照射することができて効果的に書物の殺菌を行うことができる。さらに各ページ間から落下した塵芥等はその下に設置されている排気及び排塵用開口から、排気の気流に乗せてスムーズに外部に排出することができる。
【００１０】
また空気吹き出し口を上記形状とすれば、開く側を下向きに保持した書物の天または地の各ページに対して略均一な強さの気流を略同一面積、同一量だけ供給できるので、各ページを開かせようとする力が均一になり、各ページを確実に且つ略均一に開くことができ、より確実に紫外線を各ページに照射することができると同時に、各ページ間の塵芥等を落下させて除去することができる。
【００１１】
また本発明は、前記空気吹き出し口の横長方向の寸法が、前記書物を前記空気によって開かせる寸法に合わせた長さとされていることを特徴としている。
空気吹き出し口の横長方向の両端まで気流が発生するので、それ以上に書物が開くことはない。このため、空気吹き出し口の横長方向の寸法によって、容易に書物を開かせる寸法を調整することができる。
【００１２】
また本発明は、前記排気及び排塵用開口の下方に空気中から塵芥を捕捉するフィルタを設置し、このフィルタと前記排気及び排塵用開口の間に、前記フィルタへの紫外線の直接照射を防止すると同時に、開口内に侵入する紫外線を反射し書物収納部内に戻して前記書物に向かわせる反射兼保護板を設置したことを特徴としている。
排気及び排塵用開口内に気流と共に吸い込まれた塵芥等は、フィルタによって捕捉されて効果的に除去することができる。同時に、反射兼保護板によって紫外線のフィルタへの照射を防止してその劣化を防ぐことができると同時に、反射兼保護板に照射された紫外線を書物収納部内に戻すことでこの反射紫外線を書物の照射に無駄なく使用することができる。
【００１３】
また本発明は、前記反射兼保護板が、前記排気及び排塵用開口を略塞ぐ寸法形状を有すると共に、中央に対してその左右両辺が下降する形状に形成され、これによって排気及び排塵用開口内に侵入する塵芥を前記反射兼保護板の左右両辺を越えて前記フィルタに導き、且つ前記紫外線の前記フィルタへの直接照射を防止することを特徴としている。
反射兼保護板をこのような形状にすることで、効率的な塵芥等の排出ができると同時に、紫外線のフィルタへの直接照射を防止することができる。
【発明の効果】
【００１４】
本発明によれば、書物の各ページをスムーズに開いて効果的に紫外線を照射して殺菌することができると同時に、書物の各ページ間に挟まっている塵芥等をスムーズに外部に排出することができる。
【図面の簡単な説明】
【００１５】
【図１】書物殺菌装置１の斜視図である。
【図２】書物収納部１３内を示す要部斜視図である。
【図３】図１のＡ−Ａ概略断面図である。
【図４】書物収納部１３と第１のダクト１７内を正面側（開閉扉１５側）から見た図である。
【図５】フィルタユニット４３と底面１３ｅの要部拡大分解斜視図である。
【図６】フィルタユニット４３を下側から見た斜視図である。
【図７】図５のＢ−Ｂ概略断面図である。
【図８】書物殺菌装置１の動作説明図である。
【発明を実施するための形態】
【００１６】
以下、本発明の実施形態を図面を参照して詳細に説明する。
図１は本発明の一実施形態にかかる書物殺菌装置１の斜視図、図２は書物殺菌装置１内部の書物収納部１３内を示す要部斜視図、図３は図１のＡ−Ａ概略断面図、図４は書物収納部１３と第１のダクト１７内を正面側（開閉扉１５側）から見た図である。
【００１７】
これらの図に示すように、書物殺菌装置１は、一側面に開閉扉１５を有する矩形箱型のケース１１の内部に、前記開閉扉１５によって開閉されて書物を収納する書物収納部１３と、書物収納部１３の底面側と背面側に形成される第１，第２のダクト１７，１９とを具備して構成されている。扉１５にはこれを開閉する際に使用する取っ手２１と、書物収納部１３の内部を目視可能とする透明な板材からなる窓２３とが設けられている。また第１，第２のダクト１７，１９は連通している。
【００１８】
書物収納部１３の内壁の全て（天面１３ａ、奥面１３ｂ、左右両側面１３ｃ，１３ｄ、底面１３ｅ、開閉扉１５の裏面１３ｆ）は反射面に仕上げられている。具体的には、アルミ板の表面を鏡面加工することで反射面としている。天面１３ａの略中央と、左右両側面１３ｃ，１３ｄの略中央には、それぞれランプ収納凹部２５が形成され、各ランプ収納凹部２５内には、殺菌灯（以下「紫外線ランプ」という）２７が設置されている。天面１３ａに設けるランプ収納凹部２５は、左右方向に向かって延びており、また左右両側面１３ｃ，１３ｄに設けるランプ収納凹部２５は、上下方向に向かって延びている。
【００１９】
奥面１３ｂの左右の位置には、上下方向に延びる一対の位置調整用取付部２９が設けられ、また各位置調整用取付部２９の下部には、それぞれ空気吹き出し口３１が設けられている。位置調整用取付部２９は、その前面に上下方向に向かって複数個の取付穴３３が形成され、各取付穴３３には、下記する書物保持具３５の取付部３７が選択的に取り付けられる構成となっている。空気吹き出し口３１は、横長矩形状（スリット形状）の短い筒状で書物収納部１３内に突出する形状に形成されている。空気吹き出し口３１は、この空気吹き出し口３１全体から平行で均一に空気を吹き出すのに必要な長さの筒状に形成されている。
【００２０】
位置調整用取付部２９に取り付けられる書物保持具３５は、平板を細長棒状に形成し、その根元部分に前記位置調整用取付部２９の取付穴３３に着脱自在に係止する取付部３７を設け、その先端部分に上方向に突出する小突起からなる落下防止部３９を設けて構成されている。書物保持具３５の取付部３７を何れかの取付穴３３に係止して取り付けたときは、書物保持具３５は、奥面１３ｂに対して垂直に突出するように固定される。取付穴３３への取付部３７の取り付けは着脱自在であるため、書物保持具３５の上下方向の高さ位置は、係止する取付穴３３の位置によって容易に変更できる。図２，図３では各位置調整用取付部２９の上下位置に２本ずつ書物保持具３５を取り付けた状態を示しているが、１本または３本以上でも良いことは言うまでもない。
【００２１】
底面１３ｅの中央には、書物収納部１３内の空気を外部に排出する排気及び排塵用開口４１が設けられている。図５は、排気及び排塵用開口４１を有するフィルタユニット４３と底面１３ｅの要部拡大分解斜視図、図６はフィルタユニット４３を下側から見た斜視図、図７は図５のＢ−Ｂ概略断面図である。これらの図に示すように、フィルタユニット４３は、略矩形箱型のケース４５の上板中央に矩形状の一対の排気及び排塵用開口４１を設け、両排気及び排塵用開口４１の間にこれらを仕切る一本の棒状の連結部４７を設けて構成されている。またケース４５の上板の外周には、これを囲むように、鍔部４９が一体に形成されている。一方、ケース４５の下板中央には、矩形状の開口５１が設けられ、この開口５１は、ケース４５内に設置したフィルタ５３によって覆われている。フィルタ５３の固定は、ケース４５の下板の上面側の開口５１の周囲に取り付けられる取付具５５によって行われる。フィルタ５３は開口５１全体を覆っており、上側の層５３ａが塵芥を除去するプレフィルタ、下側の層５３ｂが臭いを取り除く活性炭フィルタとなっている。
【００２２】
ケース４５の連結部４７には、２つのボルトナット５７によって、反射兼保護板５９が取り付けられている。反射兼保護板５９は、ケース４５の内側から排気及び排塵用開口４１を略塞ぐ寸法形状（矩形状）に形成されていると共に、２つのボルトナット５７によって取り付けられる中央部分に対してその左右両辺５９ａ，５９ｂが下降する円弧形状（円筒の一部の形状）に形成されている。
【００２３】
そしてこのフィルタユニット４３は、例えば図５に示すように、底面１３ｅの上側から、底面１３ｅに設けた矩形状の開口６１に挿入し、鍔部４９を底面１３ｅ上に載置して図示しないネジなどの固定手段を用いて固定する。このとき、図３，図４に示すように、第１のダクト１７中にフィルタユニット４３が突出するように挿入されるが、フィルタユニット４３の下部には、フィルタユニット４３から排気される空気の流れを阻害しないように、第１のダクト１７による空間ａが存在している。
【００２４】
図３に示すように、第２のダクト１９の書物収納部１３側の面の中央付近には、前記一対の空気吹き出し口３１にそれぞれ接続される一対のファン６３，６３（図３では１台のみ示す）が取り付けられている。各ファン６３は、多翼ファン（シロッコファン）であり、下部中央に設けた吸込口６５から吸い込んだ空気を、外周側面に設けた吹出口６７から吹き出す構造に構成されている。ファン６３の上部中央には、駆動モータ６９が設置されている。また図３に示すように、第２のダクト１９の書物収納部１３側の面の上部付近には、この書物殺菌装置１の駆動制御を行う制御回路などからなる制御部品７１が取り付けられている。
【００２５】
書物殺菌装置１は、図４に示すように、左右同一高さに設置した上下一対ずつの書物保持具３５の真下位置にその中央部分が位置するように水平に一対の空気吹き出し口３１を配置し、一方その天面１３ａと左右両側面１３ｃ，１３ｄを囲むように紫外線ランプ２７を配置し、またその底面１３ｅ中央に排気及び排塵用開口４１を配置して構成されている。
【００２６】
一対ずつの書物保持具３５を上下に２組設置しているのは、書物の大きさを考慮し、大きい書物は上側の書物保持具３５に、小さい書物は下側の書物保持具３５に掛けられるようにするためである。もっとも、書物保持具３５の設置位置は、位置調整用取付部２９の複数ある取付穴３３（図４では記載省略）を用いてその取り付け位置を変更するだけで、容易に変更することができる。
【００２７】
次に、以上のように構成された書物殺菌装置１の動作を説明する。図８は書物殺菌装置１の動作説明図であり、説明のため、左側に空気吹き出し口３１から空気を吹き出す前の書物１００の状態を、右側に空気吹き出し口３１から空気を吹き出したときの書物１００の状態を示している。即ち、例えば図８に示すように、図８の向かって左側で下側の書物保持具３５に書物１００の略中央部分を開いて、開いた側が下向きになるように掛けて保持する。なお、書物１００の綴じられた根元側の辺を背（背表紙）１０１、開く側の辺を小口１０３、背１０１と小口１０３の間の上下の辺をそれぞれ天１０５、地１０７という。書物保持具３５に書物１００を保持した際、書物１００の天１０５または地１０７の中央よりも下側の部分が空気吹き出し口３１の中央に対向する。
【００２８】
そして書物殺菌装置１を起動すれば、ファン６３が作動し、同時に全ての紫外線ランプ２７が点灯する。ファン６３の駆動によって空気吹き出し口３１から吹き出された気流は、対向する位置にある書物１００の天１０５または地１０７に吹き付けられ、図８の右側に示す書物１００のように、書物１００の各ページ間に隙間が生じるように所定角度全ページが開かれる。このように書物１００の開く側を下向きにして開くので、各ページ間の塵芥等が気流に乗って下方に容易に効率的に落下する。同時に、開いた各ページ間に紫外線ランプ２７からの紫外線（紫外線ランプ２７からの直接光又は反射面による反射光）を効果的に照射することができて効果的に書物１００の殺菌を各ページの内部にまで及ばせることができる。また各ページ間から下方に落下した塵芥等はその下に設置されている排気及び排塵用開口４１から、排気の気流に乗せてスムーズに書物収納部１３の外部に排出することができる。
【００２９】
ここで上述のように、空気吹き出し口３１は、横長形状であり、且つこの空気吹き出し口３１全体から平行で均一に空気が吹き出される形状に形成されているので、書物１００の天１０５または地１０７の各ページに対して略均一な強さの気流を略同一面積、同一量だけ供給でき、これによって各ページを開かせようとする力が均一になり、各ページを確実に略均一に開かせることができ、より確実に紫外線を各ページに照射することができると同時に、各ページ間の塵芥等を落下させて除去することができる。この書物殺菌装置１においては、空気吹き出し口３１の横長方向の寸法を、書物１００を空気によって開かせる（開かせたい）寸法に合わせた長さとしている。即ち、気流は、空気吹き出し口３１の横長方向の両端まで発生するので、それ以上に書物１００が開くことはない。このため、空気吹き出し口３１の横長方向の寸法（及び気流の強さ）によって、容易に書物１００が開く寸法（開度）を調整することができる。なお、書物１００の天１０５または地１０７に吹き付ける気流が平行流で均等量でないと、各ページにバタつきが生じ易くなり、各ページを均一に開くことができなくなる。また空気吹き出し口３１の位置は、書物保持具３５に保持した書物１００の天１０５または地１０７の上下方向中央よりも下側の部分が、気流によって容易に各ページを開かせるために好ましい。
【００３０】
次に、排気及び排塵用開口４１内に気流と共に吸い込まれた塵芥等は、フィルタ５３によって捕捉されて効果的に除去され、且つ臭気も除去される。同時に、反射兼保護板５９によって紫外線のフィルタ５３への直接の照射が防止されてその劣化が防止されると同時に、反射兼保護板５９に照射された紫外線が反射されて書物収納部１３内に戻され、書物１００の殺菌に無駄なく使用される。特にこの反射兼保護板５９は、中央に対してその左右両辺５９ａ，５９ｂが下降する形状に形成されているので、排気及び排塵用開口４１内に入り込んだ気流はスムーズに二手に分けられた後に、フィルタ５３に至り、塵芥を除去できる（つまり気流の流れをスムーズにできる）。これによって効率的な塵芥等の排出と、紫外線のフィルタ５３への直接照射とを同時に防止することができる。
【００３１】
フィルタ５３を通過して清浄化された空気は、第１のダクト１７から第２のダクト１９に導かれ、ファン６３によって再び空気吹き出し口３１から書物収納部１３内に吹き出され、循環される。
【００３２】
なお、書物殺菌装置１による書物１００の殺菌時間は、例えば３０秒程度とし、タイマによって停止時間を設定すれば良い。また例えば第１，第２のダクト１７，１９内の何れかの場所に、消臭剤、防カビ剤、防菌剤、防虫剤、芳香剤など（例えば、フィトンチッドなど）を設置しても良い。また書物保持具３５の上辺や先端部分には、書物１００を設置した際に書物１００が傷付かないように、弾性部材（例えばシリコンゴムなど）を取り付けても良い。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。また、上記各図で示した実施形態は、その目的及び構成等に矛盾がない限り、互いの記載内容を組み合わせることが可能である。また、各図の記載内容は、それぞれ独立した実施形態になり得るものであり、本発明の実施形態は各図を組み合わせた一つの実施形態に限定されるものではない。
【符号の説明】
【００３４】
１  書物殺菌装置
１１  ケース
１３  書物収納部
１３ａ  天面（内壁）
１３ｂ  奥面（内壁）
１３ｃ，１３ｄ  側面（内壁）
１３ｅ  底面（内壁）
１３ｆ  開閉扉１５の裏面（内壁）
２７  紫外線ランプ（殺菌灯）
３１  空気吹き出し口
３５  書物保持具
４１  排気及び排塵用開口
５３  フィルタ
５９  反射兼保護板
１００  書物
１０５  天
１０７  地
【図１】
0006509706.tif 000002
【図２】
0006509706.tif 000003
【図３】
0006509706.tif 000004
【図４】
0006509706.tif 000005
【図５】
0006509706.tif 000006
【図６】
0006509706.tif 000007
【図７】
0006509706.tif 000008
【図８】
0006509706.tif 000009